(57)【要約】【課題】光ファイバの余長分を巻取る作業を容易に行うことのできる光ファイバ収納ケースを提供する。【解決手段】箱形形状からなるケース本体２に光ファイバ２１を巻付け固定する収容部３０と光ファイバ２１に接続され光信号を電気信号に変換する光電変換部７とを納めてなる光ファイバ収納ケース１において、ケース本体２にはトレイ状からなり収容部を形成した収容トレイ４を設け、収容部３０に光ファイバ２１を納めた収容トレイ４は光電変換部７を設置固定したケース本体２に対して着脱自在とした。【選択図】  図２
2004354885.tif 000002
【特許請求の範囲】
【請求項１】
箱形形状からなるケース本体に光ファイバを巻付け固定する収容部と光ファイバに接続され光信号を電気信号に変換する光電変換部とを納めてなる光ファイバ収納ケースにおいて、
上記ケース本体にはトレイ状からなり上記収容部を形成した収容トレイを設け、上記収容部に光ファイバを納めた上記収容トレイは上記光電変換部を設置固定したケース本体に対して着脱自在としたことを特徴とする光ファイバ収納ケース。
【請求項２】
上記ケース本体は内側面に突起状の係合爪と鉤爪状の嵌合片とを有し、上記収容トレイは側面に係合溝を形成し上記ケース本体の係合爪と係合させて位置決めすると共に、側面を上記ケース本体の嵌合片と嵌合させ固定することを特徴とする請求項１記載の光ファイバ収納ケース。
【請求項３】
上記収容トレイの係合溝は上記嵌合片と嵌合する側面と対向する側面に形成することを特徴とする請求項２記載の光ファイバ収納ケース。
【請求項４】
上記収容部は巻付けた光ファイバの先端に設けられるコネクタを一時的に保持するコネクタ保持部を有してなることを特徴とする請求項１〜３のいずれか１項に記載の光ファイバ収納ケース。
【請求項５】
上記光電変換部はコネクタを接続する差込口を有し、上記コネクタ保持部は収容部における上記差込口よりも内部方向に位置する場所に形成することを特徴とする請求項４記載の光ファイバ収納ケース。
【発明の詳細な説明】
【０００１】
【発明の属する技術分野】
本発明は、光ファイバの余長分及び光電変換部を収納する光ファイバ収納ケースに関し、特に光ファイバの収納部分と光電変換部の収納部分を別体として設けた光ファイバ収納ケースに関する。
【０００２】
【従来の技術】
従来から、通信等に用いられる光ファイバを屋外から建物内に引き込む際に、光信号を電気信号に変換する光電変換部を収納すると共に、光ファイバの余長分を収納する光ファイバ収納ケースが建物外壁面に設けられる。この場合、光ファイバ収納ケースには、光ファイバの引き込み口近傍に光ファイバの固定部が設けられる。光ファイバは両側に補強線を配置して、それらが被覆部にて覆われて光ケーブルを構成している。補強線は鋼線や強化プラスティック線などからなっていて、光ケーブルの曲げに対する補強材となっている。また、被覆部はゴム等からなり、光ファイバが直接露出しないように保護している。
【０００３】
従来の光ファイバ収納ケースは、例えば特許文献１に示すように、光電変換部と、光ファイバの余長分を収納する部分とを一体的に形成している。光ファイバの余長分を収納する部分は、ケース本体の外側に回転して取出され、光ファイバを固定すると共に、余長分をそれに巻付ける。巻付けたら、収納部分を回転させケース本体の内部に再び納める。
【０００４】
【特許文献１】
実開昭６３−３３１０８号公報
【０００５】
【発明が解決しようとする課題】
しかし、従来の光ファイバ収納ケースにおいては、光ファイバをケース本体に対して固定する作業及び余長分を巻取る作業などは、光ファイバ収納ケースを設置する位置にて行われていた。光ファイバ収納ケースの設置位置は、比較的高所に設定されるため、これらの作業は高所で行う必要があり、作業が困難であった。また、これらの作業を光ファイバ収納ケースに対してあらかじめ地上で行っておき、それから建物外壁面に対して取付けるようにしたとしても、光ファイバ収納ケースは重量が比較的大きいので、作業中に光ファイバを破損する可能性がある。
【０００６】
本発明は、上記課題を解決すべくなされたものであり、光ファイバの余長分を巻取る作業を容易に行うことのできる光ファイバ収納ケースを提供することを目的とする。
【０００７】
【課題を解決するための手段】
上記課題を解決するため、本発明に係る光ファイバ収納ケースは、箱形形状からなるケース本体に光ファイバを巻付け固定する収容部と光ファイバに接続され光信号を電気信号に変換する光電変換部とを納めてなる光ファイバ収納ケースにおいて、
上記ケース本体にはトレイ状からなり上記収容部を形成した収容トレイを設け、上記収容部に光ファイバを納めた上記収容トレイは上記光電変換部を設置固定したケース本体に対して着脱自在としたことを特徴として構成されている。
【０００８】
また、本発明に係る光ファイバ収納ケースは、上記ケース本体は内側面に突起状の係合爪と鉤爪状の嵌合片とを有し、上記収容トレイは側面に係合溝を形成し上記ケース本体の係合爪と係合させて位置決めすると共に、側面を上記ケース本体の嵌合片と嵌合させ固定することを特徴として構成されている。
【０００９】
さらに、本発明に係る光ファイバ収納ケースは、上記収容トレイの係合溝は上記嵌合片と嵌合する側面と対向する側面に形成することを特徴として構成されている。
【００１０】
さらにまた、本発明に係る光ファイバ収納ケースは、上記収容部は巻付けた光ファイバの先端に設けられるコネクタを一時的に保持するコネクタ保持部を有してなることを特徴として構成されている。
【００１１】
そして、本発明に係る光ファイバ収納ケースは、上記光電変換部はコネクタを接続する差込口を有し、上記コネクタ保持部は収容部における上記差込口よりも内部方向に位置する場所に形成することを特徴として構成されている。
【００１２】
【発明の実施の形態】
本発明の実施形態について、図面に沿って詳細に説明する。図１は本実施形態における光ファイバ収納ケース１のカバー体３を開けた状態における平面図であり、図２は本実施形態における光ファイバ収納ケース１の組立斜視図である。また、図３は本実施形態における光ファイバ収納ケース１のカバー体３を閉めた状態における斜視図である。これら各図において、本実施形態における光ファイバ収納ケース１は、一面を開口とした箱形形状に形成されたケース本体２に、その開口を覆うカバー体３を開閉自在に設け、ケース本体２の内部には光電変換部７及び収容トレイ４を納めてなるものである。
【００１３】
光ケーブル２０は、図４に示すように、光ファイバ２１の両側に鋼線または強化プラスティック線からなる補強線２２、２２をそれぞれ配置し、これら光ファイバ２１と補強線２２、２２をゴム等からなる被覆線２３にて覆って１本のケーブルとしてなるものである。光ファイバ２１は非常に細く折れやすいため、補強線２２を設けることで光ケーブル２０の曲げに対する強度を確保することができる。また、被覆線２３により光ファイバ２１及び補強線２２、２２を覆っているために、それらを１本のケーブルとして扱うことができると共に、光ファイバ２１を露出しないようにして保護することができる。
【００１４】
光ケーブル２０は、屋外において電柱等を介して建物に引き込まれる。屋外から建物に光ケーブル２０を引き込むには、電柱から建物の近傍に対して光ケーブル２０をある程度の余長を持って引き、建物の外壁面に設けられる光ファイバ収納ケース１に余長分を収納する。光ファイバ収納ケース１内においては、光ケーブル２０の被覆線２３及び補強線２２は除いて、光ファイバ２１のみの状態にして収納する。
【００１５】
また、光ファイバ２１の先端は、コネクタ２４を一端に有するあらかじめ用意しておいた別の光ファイバ２９と接続する。コネクタ２４は、光ファイバ収納ケース１内に設けられる光電変換部７の差込口７ａに差込まれる。光電変換部７は、接続された光ファイバ２９の光信号を電気信号に変換して出力端子８に出力するもので、ケース本体２にはあらかじめ設置固定されている。出力端子８には同軸ケーブル（図示しない）を接続し、その同軸ケーブルが建物内部に引き込まれて、屋外に設置されている光ケーブル２０からの信号を建物内部に取り込むことができる。
【００１６】
光ファイバ収納ケース１のケース本体２は、図２に示すようにその内部に箱形形状からなる光電変換部７を納めているほかは、中空状とされている。ケース本体２の下面４０には、光ケーブル２０を引き込むための引込口６の略半分を突起状に設けている。引込口６の残りの略半分は、カバー体３に設けられ、図３のようにカバー体３を閉じることで引込口６が形成される。また、ケース本体２の下面４０には、光電変換部７からの出力端子８を設けている。さらに、ケース本体２の下面４０には、カバー体３に設けられる係合片３ａと係合して固定する係合部４１を有している。すなわち、ケース本体２の下面４０は、光ケーブル２０及び同軸ケーブルの接続面となると共に、カバー体３を閉じた際の固定面となる。
【００１７】
光ファイバ収納ケース１のカバー体３は、ケース本体２の上部側面に設けられたヒンジ部９を介して、ケース本体２に対して開閉自在とされてなるものである。カバー体３には、上述のように引込口６の略半分が設けられていて、ケース本体２の引込口６の略半分と合わせて１つの引込口６を形成する。また、上記ケース本体２の係合部４１に係合する係合片３ａは、カバー体３の端部から延出状に形成されている。ケース本体２及びカバー体３は樹脂材からなり、係合片３ａは、延出状に形成されていることから、弾性力により係合部４１に係合し、カバー体３をケース本体２に対して強固に固定することができる。
【００１８】
ここで、光ファイバ２１を収納するために、トレイ状に形成された収容トレイ４を光ファイバ収納ケース１とは別体として設けて、これを光ファイバ収納ケース１内に納めて固定する。収容トレイ４は、引込んだ光ケーブル２０を保持固定する光ファイバ固定部５と、光ファイバ２１を巻付け固定する収容部３０と、光ファイバ２１同士を接続するファイバ接合部の固定部３１と、光ファイバ２１を光電変換部７に接続するためのコネクタ２４を一時的に固定しておくコネクタ保持部３２と、光ファイバ２１を光電変換部７に接続するためのファイバ用開口３３とを備えてなるものである。
【００１９】
ケース本体２には、下面４０の内面側において端部から奥側に向かって突起状に形成された係合爪４２を２つ設けている。また、ケース本体２の下面４０に対向する面の内面側には、ケース本体２の開口方向に突出すると共に、鉤爪状に形成されてなる嵌合片４３を設けている。一方、収容トレイ４には、ケース本体２に対して取付けた場合における係合爪４２と対応する位置に係合溝３４を形成している。
【００２０】
ケース本体２の係合爪４２によれば、収容トレイ４をケース本体２に対して位置決めすることができる。また、ケース本体２の嵌合片４３によれば、ケース本体２に対して収容トレイ４を落ちないように固定することができる。収容トレイ４をケース本体２に取付けるには、まず係合溝３４をケース本体２の係合爪４２に係合させた上で、側面を嵌合片４３に引っ掛けて固定する。収容トレイ４において係合溝３４が形成される側面は、ケース本体２の嵌合片４３に嵌合固定される側面と対向する面であるために、収容トレイ４をケース本体２に容易に取付けることができる。
【００２１】
収容部３０は、収容トレイ４に平面視において２つの半円を包絡線で接続した形状を、さらに２分割した形状となるように、収容トレイ４の底面から立上げた壁面によって構成されてなるものであり、この壁面に沿って光ファイバ２１を巻付ける。また、その半円形状に形成された部分における壁面の上端部には、半円の外側に向かって突出する突片３０ａを複数形成しており、一端巻付けた光ファイバ２１が外れないようにしている。
【００２２】
ファイバ接合部の固定部３１は、引込んだ光ファイバ２１と、あらかじめ用意された一端にコネクタ２４を備えた光ファイバ２９との接合部分を固定する。光ファイバ２１の接合は、それぞれの光ファイバ２１を溶着することによって行う。または広く用いられている光ファイバ固定部材により、それぞれの光ファイバ２１の端面を高い精度で合わせるようにしてもよい。また、ファイバ接合部の固定部３１は、収容部３０の２つの半円を繋ぐ包絡線上の側面に配置される。
【００２３】
コネクタ保持部３２は、光ファイバ２９を光電変換部７に接続するためのコネクタ２４を一時的に保持できるように、コネクタ２４に略適合する形状に形成されてなる。収容トレイ４をケース本体２に取付けた際に、コネクタ２４を光電変換部７の差込口７ａに容易に接続するためには、光ファイバ２９の余長分を収容部３０に巻付けた状態において、コネクタ２４が光ファイバ２９の過不足なく差込口７ａに差込むことのできる位置にあることが必要であり、コネクタ保持部３２は、収容部３０の壁面におけるファイバ用開口３３側の面から、収容部３０の内部方向に向かうようにコネクタ保持部３２が形成される。
【００２４】
光ファイバ固定部５は、ケース本体２の引込口６から挿入された光ケーブル２０を固定する。本実施形態における光ファイバ固定部５は、ケース本体２の下面４０の近傍における収容トレイ４の底面に平面状の固定基部１０を設け、その固定基部１０に光ケーブル２０を固定するためのケーブル保持部１１と折返し固定部１２及び被覆線保持部１３を設けてなるもので、この光ファイバ固定部５を２つ並べている。したがって、本実施形態における光ファイバ収納ケース１は、２本の光ファイバ２１を固定し、収納することができる。
【００２５】
引込口６から挿入された光ケーブル２０は、ケーブル保持部１１に直線状に固定され、その先で被覆線２３を２つに分岐させて光ファイバ２１を露出させる。ここで、２つの被覆線２３は、それぞれ内部に補強線２２を有するように分岐される。分岐された被覆線２３は、折返し固定部１２によって折返され、その被覆線２３はさらに被覆線保持部１３によって側方から押圧・固定される。このように光ファイバ固定部５は、被覆線２３を２つに分岐して折返し、それらを固定することにより、光ケーブル２０を固定するものである。
【００２６】
図５には光ファイバ固定部５を拡大した平面図を示す。この図に示すように、ケース本体２の引込口６の近傍に、ケーブル保持部１１が配置されると共に、そのケーブル保持部１１から光ケーブル２０の挿入方向に対して直列状となる位置に折返し固定部１２が配置される。また、ケーブル保持部１１を中心として左右にはそれぞれ被覆線保持部１３が配置される。
【００２７】
折返された被覆線２３は、それぞれ内部に補強線２２を有しているため、元に戻ろうとする復元力を発生する。したがって、被覆線保持部１３は、補強線２２の復元力に対する反力により被覆線２３を押圧する。これによって、折返し固定部１２で折返された被覆線２３は、被覆線保持部１３によって強固に固定されるので、光ケーブル２０に力が加わっても、光ファイバ固定部５は光ケーブル２０を強固に固定しておくことができる。
【００２８】
図６は、図５の光ファイバ固定部５の拡大図において光ケーブル２０を固定した状態を示している。この図に示すように、ケーブル保持部１１から突出した光ケーブル２０は、２つに分岐されると共に、露出した光ファイバ２１はそのまま光ファイバ収納ケース１内に延びている。２つに分岐された被覆線２３は、折返し固定部１２によって折返され、その折返し方向にさらに突出して被覆線保持部１３に押圧保持される。
【００２９】
被覆線２３の先端は、ケース本体２の下面４０に当接する。すなわち、分岐させた被覆線２３は、ケース本体２の下面４０に当接する長さに切断される。被覆線２３の長さをこのようにすることで、被覆線２３がそれ以上動かないようにすることができ、光ケーブル２０に力が加わっても光ファイバ固定部５はさらに強固に光ケーブル２０を固定しておくことができる。
【００３０】
図７には、収容トレイ４に光ファイバ２１を収容した状態の平面図を示す。屋外の光ケーブル２０を建物内に引き込む際には、あらかじめ光ファイバ収納ケース１を建物の外壁に取付けておく。引き込みたい光ケーブル２０はある程度余長を持って用意しておいて、それを収容トレイ４に固定すると共に、被覆を除いた光ファイバ２１は、収容部３０に巻付けて収容する。また、その光ファイバ２１とあらかじめ用意しておいた一端にコネクタ２４を備えた光ファイバ２９との接合部をファイバ接合部の固定部３１に固定する。コネクタ２４を備えた光ファイバ２９も収容部３０に巻付け収容し、コネクタ２４はコネクタ保持部３２に一時的に固定する。
【００３１】
これらの収容トレイ４に関する作業は、収容トレイ４が光ファイバ収納ケース１とは別体として設けられていることにより、高所で行う必要がない。そして、図７のように光ファイバ２１を固定、収容した収容トレイ４を光ファイバ収納ケース１に取付固定すると共に、コネクタ２４を光電変換部７の差込口７ａに接続する。収容トレイ４は光電変換部７を有する光ファイバ収納ケース１に比べると軽量であり、光ファイバ２１を破損することなく高所に運んで容易に取付作業を行うことができる。
【００３２】
【発明の効果】
以上説明したように、本発明に係る光ファイバ収納ケースによれば、光ファイバの収容部はトレイ状に形成されてなる収容トレイに設けられ、収容トレイはケース本体に対して着脱自在としたことにより、光ファイバの収容作業をケース本体とは別に行うことができ、高所で光ファイバの固定作業及び巻取り作業を行う必要がなくなるので、これらの作業を容易に行うことができる。
【００３３】
また、本発明に係る光ファイバ収納ケースによれば、ケース本体は内側面に突起状の係合爪と鉤爪状の嵌合片とを有し、収容トレイは側面に係合溝を形成されてケース本体の係合爪と係合し位置決めすると共に、側面を嵌合片と嵌合固定することにより、ケース本体と別体とした収容トレイを、ケース本体に対して容易に位置決め、固定することができる。
【００３４】
さらに、本発明に係る光ファイバ収納ケースによれば、収容トレイの係合溝は嵌合片と嵌合する側面と対向する面に形成することにより、一方の側面で位置決めし、もう一方の側面で固定することができるので、収容トレイをケース本体に取付ける作業を容易に行うことができる。
【００３５】
さらにまた、本発明に係る光ファイバ収納ケースによれば、収容部は巻付けた光ファイバの先端に設けられるコネクタを一時的に保持するコネクタ保持部を有してなることにより、収容トレイに対する光ファイバの固定及び収容作業を行ってからケース本体に収容トレイを取付けるまでの間、光ファイバの端部を一時的に固定しておくことができ、一端巻取りした光ファイバが収容部から外れないようにすることができる。
【００３６】
そして、本発明に係る光ファイバ収納ケースによれば、コネクタ保持部は収容部における差込口側の面から内部方向に向かって形成することにより、収容トレイをケース本体に取付けた際、コネクタを差込口に容易に付替えることができる。
【図面の簡単な説明】
【図１】本実施形態における光ファイバ収納ケースのカバー体を開けた状態における平面図である。
【図２】本実施形態における光ファイバ収納ケースの組立斜視図である。
【図３】本実施形態における光ファイバ収納ケースの斜視図である。
【図４】本実施形態における光ファイバの斜視図である。
【図５】本実施形態における光ファイバ収納ケースの光ファイバ固定部を拡大した平面図である。
【図６】図５において光ケーブルを固定した状態を示した図である。
【図７】本実施形態の収容トレイに光ファイバを収容した状態の平面図である。
【符号の説明】
１      光ファイバ収納ケース
２      ケース本体
３      カバー体
４      収容トレイ
５      光ファイバ固定部
６      引込口
７      光電変換部
１０      固定基部
１１      ケーブル保持部
１２      折返し固定部
１３      被覆線保持部
２０      光ケーブル
２１      光ファイバ
２２      補強線
２３      被覆線
２４      コネクタ
３０      収容部
３４      係合溝
４０      下面
４２      係合爪
４３      嵌合片
【図１】
2004354885.tif 000003
【図２】
2004354885.tif 000004
【図３】
2004354885.tif 000005
【図４】
2004354885.tif 000006
【図５】
2004354885.tif 000007
【図６】
2004354885.tif 000008
【図７】
2004354885.tif 000009